(57)【要約】【課題】本発明はコネクタから引き抜く（離脱させる）時にコネクタとのロックを解除する操作レバーを有したモジュラープラグに関し、コネクタからの離脱時における操作性の向上を図ると共にコネクタの小型化・薄型化を図ることを課題とする。【解決手段】コネクタに挿入脱されるプラグ本体２１と、挿入されたプラグ本体２１をコネクタに係止するロック爪２２と、操作されることによりロック爪２２によるプラグ本体２１とコネクタとの係止を解除させるレバー部２４とを有するモジュラープラグにおいて、挿入脱方向にスライド可能な構成でプラグ本体２１に配設されると共にレバー部２４と対向する位置に傾斜面３１が形成されたロック解除部材２５を設け、このロック解除部材２５を挿入方向にスライドさせたとき、傾斜面３１がレバー部２４を操作してロック爪２２とコネクタとの係止を解除する構成とする。【選択図】図８
2008010210.tif 000002
【特許請求の範囲】
【請求項１】
コネクタに挿入脱されるプラグ本体と、挿入された該プラグ本体を前記コネクタに係止する係止爪と、操作されることにより前記係止爪による前記該プラグ本体と前記コネクタとの係止を解除させる操作レバーとを有するモジュラープラグにおいて、
前記挿入脱方向にスライド可能な構成で前記プラグ本体に配設されると共に、前記操作レバーと対向する位置に傾斜面が形成されたロック解除部材を設け、
該ロック解除部材を前記挿入方向にスライドさせたとき、該スライドに伴い前記傾斜面が前記操作レバーを操作し、前記係止爪と前記コネクタとの係止を解除する構成としたことを特徴とするモジュラープラグ。
【請求項２】
前記ロック解除部材を、前記傾斜面が前記操作レバーから離間する方向に付勢する付勢部材を設けたことを特徴とする請求項１記載のモジュラープラグ。
【請求項３】
前記プラグ本体に接続されるケーブルを内部に挿通する筒状部材を前記プラグ本体に配設し、該筒状部材に前記ロック解除部材の前記プラグ本体からの離脱を防止する離脱防止部を設けたことを特徴とする請求項１または２記載のモジュラープラグ。
【請求項４】
前記傾斜面を前記プラグ本体に突起の内部に形成すると共に、該突起を前記ロック解除部材を操作するときの操作ノブとして使用可能な構成としたことを特徴とする請求項１乃至３のいずれか１項に記載のモジュラープラグ。
【請求項５】
前記ロック解除部材は、前記プラグ本体の一部を収納する内部空間を有していることを特徴とする請求項１乃至４のいずれか１項に記載のモジュラープラグ。
【発明の詳細な説明】
【技術分野】
【０００１】
本発明はモジュラープラグに係り、特にコネクタから引き抜く（離脱させる）時にコネクタとのロックを解除する操作レバーを有したモジュラープラグに関する。
【背景技術】
【０００２】
一般に、電子装置を他の電子装置とケーブル等を用いて接続する場合、コネクタとプラグを用いて接続することが行われている。この場合、ケーブル側にケーブルプラグを配設すると共に、電子装置側にこのケーブルプラグが装着されるコネクタを配設する。近年、コネクタを内設する電子機器の小型薄型化及び操作性の向上が図られており、よってケーブルプラグについても小型化に対応しかつ操作性の向上が図られたものが提案されている。
【０００３】
一方、近年のブロードバンドの普及に伴い、大量のアクセス側配線（イーサ信号等）を収容し、信号を多重・集線してトランスポート側に送り出す通信装置が提供されている。このような通信装置においては、一般にコネクタとしてＲＪ−４５に対応したコネクタ及びモジュラープラグが多用されている（特許文献１参照）。これらの通信装置に従来から用いられていたコネクタの実装構造について、図１乃至図４を用いて説明する。
【０００４】
図１は従来のモジュラープラグ１０Ａ（以下、単にプラグという）を示しており、また図２はプラグ１０Ａが装着されるコネクタ１を示している。
【０００５】
このプラグ１０Ａは、プラグ本体１１、ロック爪１２、及びレバー部１４等を有した構成とされている。プラグ本体１１にはケーブル１３が接続されており、このケーブル１３はプラグ本体１１内に配設されているコンタクトピン（図示せず）に電気的に接続されている。また、ロック爪１２は、プラグ１０Ａがコネクタ１に装着された際、離脱を防止するものであり、レバー部１４と一体的に形成されている。レバー部１４は、図中矢印Ａ１，Ａ２方向に移動可能な構成とされており、ロックを解除する場合にはプラグ本体１１とレバー部１４を指で挟んで矢印Ａ２方向に操作することにより、ロックが解除される構成とされている。
【０００６】
図２はコネクタ１を示しているが、同図に示す例では大量のアクセス側配線を収容するため、二つのコネクタ１を重ね合わせて使用する例を示している。
【０００７】
コネクタ１は、横方向（図中矢印Ｘ１，Ｘ２方向）に列設された８個のコネクタ部８より構成される第１のコネクタ列設体３と、この第１のコネクタ列設体３の上部に配設されており、同じく横方向に列設された８個のコネクタ部８より構成される第２のコネクタ列設体４とを有している。更に、第２のコネクタ列設体４は第１のコネクタ列設体３の上部に積層された構成とされており、その上で各コネクタ列設体３，４をモールド樹脂９で樹脂封止した構成とされている。
【０００８】
また、各コネクタ部８はＲＪ−４５コネクタに対応するよう構成されており、よって各コネクタ部８の背面側からは８本のリード６，７が延出される。具体的には、第１のコネクタ列設体３を構成するコネクタ部８からは第１のリード６が延出し、第２のコネクタ列設体４を構成するコネクタ部８からは第２のリード７が延出する。
【０００９】
このリード６，７は、水平方向に所定長さ延出された後、下方に向け折り曲げられた構成とされている。そして、折り曲げられたリード６，７の下端部は、プリント配線基板２に形成されたランドにはんだ付け接続される。
【００１０】
前記したように、コネクタ部８はＲＪ−４５コネクタに対応するよう構成とされており、このコネクタ部８にはロック爪を有したプラグが装着される（図４参照）。よって、コネクタ１を複数積み重ねる場合には、各コネクタ間にはレバー部１４を操作する操作空間を設ける必要があった。
【００１１】
図３及び図４は、特許文献１に開示されたプラグ１０Ｂを示している。なお、図３，４において図１に示したプラグ１０Ａと同一構成については同一符号を付している。プラグ１０Ｂは、レバー部１４の端部に被押圧部１５が形成されると共に、プラグ本体１１に可動部１６が移動可能に配設された構成とされている。
【００１２】
この構成とされたプラグ１０Ｂでは、プラグ１０Ｂをコネクタ１から離脱させる場合には、可動部１６の両側部を指で把持すると共に可動部１６を離脱方向（図４における左方向）に移動操作する。これにより、可動部１６は被押圧部１５と当接してこれを下方に向け付勢し、レバー部１４は下方に向け押し下げられる。よって、ロック爪１２によるコネクタ１との係止は解除され、プラグ１０Ｂはコネクタ１から離脱可能な状態となる。
【特許文献１】特開昭６３−１８４２７１号公報
【発明の開示】
【発明が解決しようとする課題】
【００１３】
しかしながら、図１に示す従来のプラグ１０Ａでは、コネクタ１からプラグ１０Ａを離脱させる（引き抜きする）には、図５に示すように、レバー部１４の操作を確保するため、前記のように上下一対のコネクタ１の間にロック爪１４を操作する操作空間を設ける必要がある。このため、コネクタ全体としての高さ（図２に矢印ｈ１で示す）が大きくなってしまい、薄型化を図ることができないという問題点があった。
【００１４】
また、図４及び図５に示すプラグ１０Ｂでは、図１の従来のように、プラグ本体１１とレバー部１４を上下方向から把持する必要はないものの、プラグ１０Ｂをコネクタ１から離脱させるには、左右方向から可動部１６を把持する必要がある。このため、プラグ１０Ｂの構成では、図２（Ａ）に矢印Ｘ１，Ｘ２で示す方向に対するコネクタ部８の実装密度が低下し、小型化を図ることができないという問題点があった。
【００１５】
本発明は上記の点に鑑みてなされたものであり、コネクタからの離脱時における操作性の向上を図ると共にコネクタの小型化・薄型化を図りうるモジュラープラグを提供することを目的とする。
【課題を解決するための手段】
【００１６】
上記の課題を解決するために本発明では、次に述べる各手段を講じたことを特徴とするものである。
【００１７】
請求項１記載の発明は、
コネクタに挿入脱されるプラグ本体と、挿入された該プラグ本体を前記コネクタに係止する係止爪と、操作されることにより前記係止爪による前記該プラグ本体と前記コネクタとの係止を解除させる操作レバーとを有するモジュラープラグにおいて、
前記挿入脱方向にスライド可能な構成で前記プラグ本体に配設されると共に、前記操作レバーと対向する位置に傾斜面が形成されたロック解除部材を設け、
該ロック解除部材を前記挿入方向にスライドさせたとき、該スライドに伴い前記傾斜面が前記操作レバーを操作し、前記係止爪と前記コネクタとの係止を解除する構成としたことを特徴とするものである。
【００１８】
また、請求項２記載の発明は、
請求項１記載のモジュラープラグにおいて、
前記ロック解除部材を、前記傾斜面が前記操作レバーから離間する方向に付勢する付勢部材を設けたことを特徴とするものである。
【００１９】
また、請求項３記載の発明は、
請求項１または２記載のモジュラープラグにおいて、
前記プラグ本体に接続されるケーブルを内部に挿通する筒状部材を前記プラグ本体に配設し、該筒状部材に前記ロック解除部材の前記プラグ本体からの離脱を防止する離脱防止部を設けたことを特徴とするものである。
【００２０】
また、請求項４記載の発明は、
請求項１乃至３のいずれか１項に記載のモジュラープラグにおいて、
前記傾斜面を前記プラグ本体に突起の内部に形成すると共に、該突起を前記ロック解除部材を操作するときの操作ノブとして使用可能な構成としたことを特徴とするものである。
【００２１】
また、請求項５記載の発明は、
請求項１乃至４のいずれか１項に記載のモジュラープラグにおいて、
前記ロック解除部材は、前記プラグ本体の一部を収納する内部空間を有していることを特徴とするものである。
【発明の効果】
【００２２】
本発明によれば、ロック解除部材をスライド操作することにより傾斜面が操作レバーを操作し係止爪とコネクタとの係止を解除するため、従来のようにプラグ本体から斜めに延出した操作レバーを指でつかんでモジュラープラグのロックを解除する必要はなくなり、コネクタを接近させてモジュラープラグの搭載間隔を狭めたとしても、モジュラープラグの装着脱を確実に行うことができ、よって操作性を維持しつつ装着時におけるモジュラープラグ（コネクタ）の高密度化を図ることができる。
【００２３】
また、コネクタからモジュラープラグを離脱させるには、ロック解除部材を挿入方向にスライドさせつつ、モジュラープラグをコネクタから引き抜く必要があり、よってモジュラープラグをコネクタから誤って抜いてしまうことを防止でき、装着時におけるモジュラープラグの安全性を高めることができる。
【発明を実施するための最良の形態】
【００２４】
次に、本発明を実施するための最良の形態について図面と共に説明する。
【００２５】
図６乃至図８は、本発明の一実施例であるモジュラープラグ２０（以下、単にプラグという）を示している。なお、プラグ２０が装着脱されるコネクタは、図１乃至図５に示したものと同一構成であるため、同一符号を付して説明するものとする。
【００２６】
プラグ２０は、大略するとプラグ本体２１、ロック爪２２、レバー部２４、及びロック解除部材２５等により構成されている。このプラグ２０は、ＲＪ−４５の規格に対応したものである。
【００２７】
プラグ本体２１は樹脂成形されており、内部にコネクタ１と電気的に接続するコンタクト（図示せず）が配設されている。また、プラグ本体２１にはケーブル２３が接続されており、このケーブル２３はコンタクトピンに電気的に接続されている。具体的には、プラグ本体２１の背面には筒状部材であるスリーブ２６が固定されており、このスリーブ２６の内部を挿通することより、ケーブル２３はプラグ本体２１内のコンタクトに接続される構成とされている。
【００２８】
ロック爪２２は、プラグ２０がコネクタ１のコネクタ部８に装着された際、コネクタ部８に形成されている係合部（図示せず）と係合する構成とされている。ロック爪２２がコネクタ部８の係合部と係合することにより、プラグ２０はコネクタ部８に係止（ロック）される。このように、ロック爪２２によりプラグ２０がコネクタ部８に係止されることにより、装着状態にあるプラグ２０に対し引き抜き方向（図中矢印Ｙ２方向）の外力が作用しても、プラグ２０がコネクタ１から離脱するのを防止することができる。このロック爪２２は、レバー部２４と一体的に形成されている。
【００２９】
レバー部２４はプラグ本体２１と一体的に形成さており、プラグ本体２１に対して斜め上方に向け延出した構成とされている。前記したロック爪２２は、レバー部２４のプラグ本体２１に近い位置に一体的に形成されている。このレバー部２４は、図中矢印Ａ１，Ａ２方向に弾性的に移動可能な構成とされている。よって、レバー部２４に一体的に形成されているロック爪２２も、レバー部２４の移動に伴い移動する。
【００３０】
前記したロック爪２２とコネクタ部８の係合部との係合は、レバー部２４の弾性力によりロック爪２２がコネクタ部８の係合部に押圧されることにより行われる。また、後述するようにレバー部２４が弾性付勢力に抗して矢印Ａ２方向に操作されると、ロック爪２２とコネクタ部８の係合部との係合は解除され、よってプラグ２０はコネクタ部８から離脱（引き抜き）可能な状態となる。
【００３１】
続いて、ロック解除部材２５について説明する。ロック解除部材２５は樹脂成形されたものであり、解除部本体２８、操作突起２９、操作部３０、及び内部空間３２等を一体的に形成した構成とされている。
【００３２】
解除部本体２８は、内部に内部空間３２（図７（Ｂ）参照）が形成されており、この内部空間３２内に前記したプラグ本体２１が挿入できる構成となっている。また、解除部本体２８の背面にはスリーブ２６が挿通する挿通孔２８ａが形成されている。これにより、ロック解除部材２５は、プラグ本体２１に対してプラグ２０のコネクタ１への挿入方向（図中、矢印Ｙ１方向）及びコネクタ１からの離脱方向（図中、矢印Ｙ２方向）にスリーブ２６及び内部空間３２に案内されてスライド可能な構成となっている。
【００３３】
また、図７（Ｂ）に示すように、プラグ本体２１の外背面２１ａと、ロック解除部材２５の内背面２８ｂとの間には、コイルバネ２７が配設されている。このコイルバネ２７は、プラグ本体２１とロック解除部材２５とを相対的に離間させるように弾性力を付勢する構成とされている。しかしながら、スリーブ２６の矢印Ｙ２方向端部には鍔部２６ａが形成されているため、解除部本体２８の背面は鍔部２６ａと当接することによりプラグ本体２１からの離脱が防止されている。
【００３４】
操作突起２９は、解除部本体２８の上面に形成されている。具体的には、プラグ本体２１においてレバー部２４が形成されている面と対応する面に、操作突起２９は形成されている。この操作突起２９の内部は空間部３３が形成されており、図７（Ｂ）及び図８に示すように操作突起２９の内壁には傾斜面３１が形成されている。更に、操作突起２９の図中Ｙ２方向部分には、後述するプラグ２０をコネクタ１から離脱する（引き抜く）時に操作される操作部３０が形成されている。
【００３５】
前記したレバー部２４は、操作突起２９内の空間部３３内に位置するよう構成されている（図７（Ｂ）及び図８参照）。また、レバー部２４は、操作突起２９内に形成されている傾斜面３１と対向するよう構成されている。更に、コイルバネ２７は、前記したようにプラグ本体２１とロック解除部材２５とを相対的に離間させるように弾性力を付勢している。換言すると、コイルバネ２７は、ロック解除部材２５を傾斜面３１がレバー部２４から離間する方向に弾性力を付勢している。
【００３６】
そして、図７（Ｂ）及び図８（Ａ）に示すように、ロック解除部材２５が鍔部２６ａと当接した状態（Ｙ２方向に変位した状態）で、レバー部２４の先端部が傾斜面３１の上端部と対向するよう構成されている。上記構成とされた操作突起２９は、その突出量が小さくなるよう構成されている。
【００３７】
具体的には、操作突起２９の天板部２９ａの厚さは、機械的強度を維持しうる範囲で薄く設定された構成とされている。これにより、操作突起２９の突出高さは、レバー部２４の高さと略等しい（若干高い）構成となり、操作突起２９を設けてもプラグ２０の高さ（図８に矢印Ｚ１，Ｚ２で示す方向の高さ）が従来に比べて大きく高くなるようなことはない。
【００３８】
続いて、上記構成とされたプラグ２０の動作について説明する。
【００３９】
プラグ２０をコネクタ１に装着する場合は、図９に示す状態よりプラグ２０をコネクタ１のコネクタ部８に向け挿入する。具体的には、ロック解除部材２５を図中矢印Ｙ１方向に押圧操作する。
【００４０】
前記したように、コイルバネ２７が設けられることによりプラグ本体２１とロック解除部材２５は離間する方向に弾性付勢されているため、ロック解除部材２５をＹ１方向に押圧操作することによりプラグ本体２１もＹ１方向に移動し、よってプラグ２０はコネクタ部８に装着される。この装着状態において、ロック爪２２はコネクタ部８に形成された係合部と係合し、よってプラグ２０はコネクタ１に係止される。
【００４１】
次に、コネクタ部８に装着されているプラグ２０を離脱させる（引き抜く）操作について説明する。プラグ２０をコネクタ部８から離脱させるには、ロック解除部材２５の操作部３０をコイルバネ２７の弾性力に抗して矢印Ｙ１方向に押圧操作する。
【００４２】
プラグ２０がコネクタ１に装着された状態では、プラグ本体２１はコネクタ部８に係止（固定）されている。このため、操作部３０をＹ１方向に押圧操作することにより、ロック解除部材２５はプラグ本体２１上を矢印Ｙ１方向に向けスライド（移動）する。この際、本実施例では、プラグ本体２１から突出した操作突起２９をロック解除部材２５を操作するときの操作ノブとして使用している。このため、操作突起２９と別個に操作ノブを形成する構成に比べ、プラグ２０の構成の簡単化を図ることができる。
【００４３】
一方、前記のようにレバー部２４はプラグ本体２１に一体的に形成された構成であるため、ロック解除部材２５がＹ１方向に移動を開始することにより、操作突起２９に形成された傾斜面３１も図７（Ｂ）及び図８（Ａ）に示す位置からロック解除部材２５に近接する方向（Ｙ１方向）に移動を開始する。
【００４４】
傾斜面３１（ロック解除部材２５）のＹ１方向の移動に伴い、傾斜面３１はレバー部２４の先端部と係合し、更に傾斜面３１がＹ１方向に移動することにより、レバー部２４は傾斜面３１に付勢されて矢印Ａ２方向に移動する。そして図８（Ｂ）に示すように、レバー部２４はプラグ本体２１の上面と略平行な位置まで移動し、よってレバー部２４に一体的に形成されているロック爪２２はコネクタ部８の係合部から離脱する。
【００４５】
これにより、ロック爪２２によるプラグ２０をコネクタ１に固定するロック（係止）は解除される。続いて、プラグ２０を引き抜くことにより、プラグ２０はコネクタ１から離脱する。なお、プラグ２０がコネクタ１から離脱すると、プラグ本体２１はコイルバネ２７の弾性復元力によりロック解除部材２５に対してＹ１方向に移動し図７及び図８（Ａ）に示す元の状態に戻る。
【００４６】
このように、本実施例に係るプラグ２０は、単に操作部３０（ロック解除部材２５）を挿入方向（Ｙ１方向）にスライド動作させるだけで、プラグ２０をコネクタ１から離脱させることができる。よって、従来のプラグ１０Ａ（図１参照）のように、離脱時にプラグ本体１１とレバー部１４を上下方向から指で挟みレバー部１４をＡ２方向に移動させる必要はなくなる。また、従来のプラグ１０Ｂ（図３，図４参照）のように、離脱時に可動部１６を左右方向から指で挟み移動させる必要はなくなる。
【００４７】
よって、本実施例に係るプラグ２０を用いることにより、コネクタ１においてコネクタ部８を接近させてプラグ２０の搭載間隔を狭めたとしても、プラグ２０の装着脱を確実に行うことができ、よって操作性を維持しつつ装着時におけるプラグ２０（コネクタ部８）の高密度化を図ることができる。
【００４８】
また、コネクタ１からプラグ２０を離脱させるには、ロック解除部材２５を挿入方向（Ｙ１方向）にスライド操作させ、次にプラグ２０をコネクタ１から離脱方向（Ｙ２方向）に引き抜く必要がある。このように２方向の操作によりはじめてプラグ２０はコネクタ１から離脱可能となるため、誤ってプラグ２０をコネクタ１から離脱させる事故を防止することができる。
【００４９】
図１０乃至図１３は、本実施例に係るプラグ２０を適用したプラグ装着構造の効果を説明するための図である。
【００５０】
図１０（Ａ），（Ｂ）は、プラグ２０を装着した状態のコネクタ１の正面図である。図１０（Ａ）は、上下１対のコネクタ１が積層された構成を示しており、上下のコネクタ１のコネクタ部８が近接した構成とされている。しかしながら、本実施例に係るプラグ２０では、操作突起２９を押圧操作しうる間隙があれば充分であり、操作者の指が入るスペースを設ける必要はなく、よって上下のコネクタ部８を近接させることが可能となる。また、図１０（Ｂ）に示すように、上下のコネクタ１で、コネクタ部８の配設位置が半ピッチずれるよう配置することにより、更に上下のコネクタ１の間隔を狭めることができ、コネクタ全体としての小型化・薄型化を図ることができる。
【００５１】
図１１乃至図１３は、本実施例に係るプラグ２０を適用することによりコネクタユニットの小型化を図ることができることを従来のプラグ１０Ａを適用したコネクタユニットと比較して示す図である。なお、図１１乃至図１３において（Ａ）で示す図は従来のプラグ１０Ａに対応したプラグインユニット４５を示しており、（Ｂ）で示す図は本実施例に係るプラグ２０に対応したプラグインユニット４０Ａ〜４０Ｃを示している。
【００５２】
図１１（Ｂ）は、上下のコネクタ１を揃えて積層することにより、コネクタ部８が上下に対向するようにしたプラグインユニット４０Ａを示している。この場合、従来上下のコネクタ１の離間寸法が図中矢印Ｈ必要であったものが、プラグ２０に対応しうる構成とすることにより、図中矢印ｈ１で示す離間寸法まで狭くすることが可能となった。
【００５３】
また、図１２（Ｂ）は、上下のコネクタ１を左右にずらして積層することにより、コネクタ部８が上下に反ピッチずれて位置するようにしたプラグインユニット４０Ｂを示している。この構成とした場合には、上下のコネクタ１間の離間寸法を略無くすることができる。
【００５４】
更に、図１３（Ｂ）は、上部に列設されたコネクタ部８Ａと、下部に列設されたコネクタ部８Ｂを反ピッチずらした構成とされたコネクタ１Ａを上下に揃えて積層した構成のプラグインユニット４０Ｃを示している。この場合、従来上下のコネクタ１の離間寸法が図中矢印Ｈ必要であったものが、プラグインユニット４０Ｃとすることにより、上部のコネクタ１Ａのコネクタ部８Ｂと下部のコネクタ１Ａのコネクタ部８Ｂとの離間距離を図中矢印ｈ２で示す離間寸法まで狭くすることが可能となった。このように、本発明に係るプラグ２０を用いることにより、プラグインユニット４０Ａ〜４０Ｃの小型化を図ることが可能となる。
【００５５】
以上の説明に関し、更に以下の項を開示する。
(付記１）
コネクタに挿入脱されるプラグ本体と、挿入された該プラグ本体を前記コネクタに係止する係止爪と、操作されることにより前記係止爪による前記該プラグ本体と前記コネクタとの係止を解除させる操作レバーとを有するモジュラープラグにおいて、
前記挿入脱方向にスライド可能な構成で前記プラグ本体に配設されると共に、前記操作レバーと対向する位置に傾斜面が形成されたロック解除部材を設け、
該ロック解除部材を前記挿入方向にスライドさせたとき、該スライドに伴い前記傾斜面が前記操作レバーを操作し、前記係止爪と前記コネクタとの係止を解除する構成としたことを特徴とするモジュラープラグ。
(付記２）
前記ロック解除部材を、前記傾斜面が前記操作レバーから離間する方向に付勢する付勢部材を設けたことを特徴とする付記１記載のモジュラープラグ。
(付記３）
前記プラグ本体に接続されるケーブルを内部に挿通する筒状部材を前記プラグ本体に配設し、該筒状部材に前記ロック解除部材の前記プラグ本体からの離脱を防止する離脱防止部を設けたことを特徴とする付記１または２記載のモジュラープラグ。
(付記４）
前記傾斜面を前記プラグ本体に突起の内部に形成すると共に、該突起を前記ロック解除部材を操作するときの操作ノブとして使用可能な構成としたことを特徴とする付記１乃至３のいずれか１項に記載のモジュラープラグ。
(付記５）
前記ロック解除部材は、前記プラグ本体の一部を収納する内部空間を有していることを特徴とする付記１乃至４のいずれか１項に記載のモジュラープラグ。
(付記６）
複数のコネクタ部が列設されたコネクタ列設体を有する複数段積層してなるコネクタと、
前記コネクタ部に挿入脱されるプラグ本体と、挿入された該プラグ本体を前記コネクタ部に係止する係止爪と、操作されることにより前記係止爪による前記該プラグ本体と前記コネクタ部との係止を解除させる操作レバーとを有するモジュラープラグとにより構成されるプラグ装着構造において、
モジュラープラグは、
前記コネクタへの挿入方向及び離脱方向にスライド可能な構成とされると共に、前記操作レバーと対向する位置に傾斜面が形成されたロック解除部材を有し、
該ロック解除部材を前記挿入方向にスライドさせたとき、該スライドに伴い前記傾斜面が前記操作レバーを操作し、前記係止爪と前記コネクタ部との係止が解除されることを特徴とするプラグ装着構造
(付記７）
前記ロック解除部材を、前記傾斜面が前記操作レバーから離間する方向に付勢する付勢部材を設けたことを特徴とする付記６記載のプラグ装着構造。
(付記８）
前記プラグ本体に接続されるケーブルを内部に挿通する筒状部材を前記プラグ本体に配設し、該筒状部材に前記ロック解除部材の前記プラグ本体からの離脱を防止する離脱防止部を設けたことを特徴とする付記６または７記載のプラグ装着構造。
(付記９）
前記傾斜面を前記プラグ本体に突起の内部に形成すると共に、該突起を前記ロック解除部材を操作するときの操作ノブとして使用可能な構成としたことを特徴とする付記６乃至８のいずれか１項に記載のプラグ装着構造。
(付記１０）
前記ロック解除部材は、前記プラグ本体の一部を収納する内部空間を有していることを特徴とする付記６乃至９のいずれか１項に記載のプラグ装着構造。
(付記１１）
下段に位置する前記コネクタ列設体の前記コネクタ部の位置と、その上段に位置する前記コネクタ列設体の前記コネクタ部の位置とをずらして配置したことを特徴とする付記６乃至１０のいずれか１項に記載のプラグ装着構造。
(付記１２）
前記コネクタ部は、ＲＪ−４５コネクタであることを特徴とする付記６乃至１１のいずれか１項に記載のプラグ装着構造。
【図面の簡単な説明】
【００５６】
【図１】図１は、第１従来例であるプラグを説明するための図である。
【図２】図２は，プラグが挿入されるコネクタを説明するための図である。
【図３】図３は、第２従来例であるプラグを説明するための図である。
【図４】図４は、第２従来例であるプラグの動作を説明するための図である。
【図５】図５は、従来のプラグの問題点を説明するための図である。
【図６】図６は、本発明の一実施例であるプラグの斜視図である。
【図７】図７は、本発明の一実施例であるプラグを説明するための図であり、（Ａ）は平面図、（Ｂ）は正面図である。
【図８】図８は、本発明の一実施例であるプラグの動作を説明するための図である。
【図９】図９は、本発明の一実施例であるプラグをコネクタに装着脱する動作を説明するための図である。
【図１０】図１０は、本発明の一実施例であるプラグを装着したコネクタをコネクタ部の開口側から見た図である。
【図１１】図１１は、本発明の一実施例であるプラグを適用することによりコネクタユニットの小型化を図ることができることを、従来と比較しつつ示す図である（その１）
【図１２】図１２は、本発明の一実施例であるプラグを適用することによりコネクタユニットの小型化を図ることができることを、従来と比較しつつ示す図である（その２）
【図１３】図１３は、本発明の一実施例であるプラグを適用することによりコネクタユニットの小型化を図ることができることを、従来と比較しつつ示す図である（その３）
【符号の説明】
【００５７】
１  コネクタ１
８  コネクタ部
２０  プラグ
２１  プラグ本体
２２  ロック爪
２３  ケーブル
２４  レバー部
２５  ロック解除部材
２６  スリーブ
２７  コイルバネ
２８  解除部本体
２９  操作突起
３０  操作部
３１  傾斜面
３２  内部空間
４０Ａ〜４０Ｃ  プラグインユニット
【図１】
2008010210.tif 000003
【図２】
2008010210.tif 000004
【図３】
2008010210.tif 000005
【図４】
2008010210.tif 000006
【図５】
2008010210.tif 000007
【図６】
2008010210.tif 000008
【図７】
2008010210.tif 000009
【図８】
2008010210.tif 000010
【図９】
2008010210.tif 000011
【図１０】
2008010210.tif 000012
【図１１】
2008010210.tif 000013
【図１２】
2008010210.tif 000014
【図１３】
2008010210.tif 000015